(57)【要約】      （修正有）【課題】踵を有する底の耐久性を改善し、かつ踵の新品交換を容易にする草履及び草履底を提供する。【解決手段】底９は、実質的に巻７の下面全体を覆うように、巻７の下面に接着剤により接着された底本体１１と、底本体１１の後部下面から下方に突起した踵１３と、を有している。底本体１１と踵１３とは、ともに合成ゴム製であり、かつ同一材料である。踵１３は、底本体１１の後部下面に、接着剤により接着されている。合成ゴムは、生ゴムと合成樹脂が混合されてなる材料であり、生ゴムが持つ弾力性が活かされるとともに、合成樹脂の硬さ及び耐久性が加味されることにより、劣化し易い生ゴムの欠点を補う特性を有する。踵１３は底本体１１に接着により固定されているので、数の少ない専門の草履店或いは呉服店を利用せずとも、比較的数の多い靴修理店を利用することにより、簡便に交換することが可能である。【選択図】図１
0003198540.tif 000002
【実用新案登録請求の範囲】
【請求項１】
底が、
実質的に巻の下面全体を覆うように前記巻の下面に接着され、かつ合成ゴム製である底本体と、
当該底本体の後部下面に接着され、前記底本体と同一の合成ゴム製である踵と、を有する草履。
【請求項２】
前記底本体には、鼻緒のすげ替えのために外方に湾曲させて開くことが可能な舌状の蓋を成すように、切れ込みが一部に形成されており、当該蓋は、取り外し可能な留め具により閉じた状態に保持される、請求項１に記載の草履。
【考案の詳細な説明】
【技術分野】
【０００１】
本考案は、草履に関する。
【背景技術】
【０００２】
草履（ぞうり）は、和装とともに履かれることの多い我国伝統の履物である。その構造は、使用者の足を載せる台（だい）と、この台に留められ、使用者の足の甲に当たって足を捕捉する鼻緒（はなお）と、を有するものとなっている。さらに台は、使用者の足に触れる、天（てん）と称される比較的薄い上層部材と、天の下にあって比較的厚く、通常においてコルクを芯とし、巻（まき）と称される中間層部材と、巻の下にあって地面等に触れる、底（そこ）と称される下層部材と、を含んでいる。天及び巻の外表面は、主に牛革もしくは合成皮革・織物により仕上げられる。底の材料は、伝統的には牛革であり、近年では牛革の他に人工皮革も用いられる。草履は価格も高価であることから、長く使用できることが使用者には望まれる。
【０００３】
従来の草履は、上記の通り、牛革又は合成皮革により底が形成されているため、比較的摩耗し易く、長期間の使用に耐えないという問題点があった。下方への突出部である踵（かかと）が、合成樹脂又は皮革により後部に形成された底を有する草履も知られている。しかし、踵は巻に達する釘により釘止めされ、釘の頭部は踵の底面に露出する。このため、路上歩行等に伴い釘の頭部が摩滅し易い、という問題点があった。また、摩耗した踵を新品に取り替えることにより、草履を長く使用することが可能となるが、踵の交換には、数の少ない専門の草履店或いは呉服店を利用しなければならない、という不便さがあった。なお、底の少なくとも一部を特殊なゴム体により形成した履き物については、特許文献１に開示されている。
献１）。
【先行技術文献】
【特許文献】
【０００４】
【特許文献１】特開平６−１３３８０４号公報
【考案の概要】
【考案が解決しようとする課題】
【０００５】
本考案は上記の問題点に鑑みてなされたもので、踵を有する底の耐久性を改善し、かつ踵の新品交換を容易にする草履を提供することを目的とする。
【課題を解決するための手段】
【０００６】
上記課題を解決し上記目的を達成するために、本考案のうち第１の態様によるものは、草履であって、底が、実質的に巻の下面全体を覆うように前記巻の下面に接着され、かつ合成ゴム製である底本体と、当該底本体の後部下面に接着され、前記底本体と同一の合成ゴム製である踵と、を有するものである。
【０００７】
この構成によれば、踵を含めて底が合成ゴム製であるため、適度な弾力が確保されるとともに、路上歩行等に伴う摩耗が少なく耐久性が改善される。また、踵が底本体と一体ではなく、底本体とは別体であるため、摩耗した踵を新品に交換することが可能である。また、踵は底本体に接着により固定されているので、比較的数の多い靴修理店により交換することが可能である。また、釘の頭が摩滅するという問題も生じない。
【０００８】
本考案のうち第２の態様によるものは、第１の態様による草履であって、前記底本体には、鼻緒のすげ替えのために外方に湾曲させて開くことが可能な舌状の蓋を成すように、切れ込みが一部に形成されており、当該蓋は、取り外し可能な留め具により閉じた状態に保持されるものである。
【０００９】
この構成によれば、留め具を取り外し、蓋を開くことにより、鼻緒をすげ替えることができる。
【考案の効果】
【００１０】
以上のように本考案によれば、踵を有する底の耐久性を改善し、かつ踵の新品交換を容易にする草履が実現する。
【図面の簡単な説明】
【００１１】
【図１】本考案の一実施の形態による草履の外観図であり、（ａ）は側面図、（ｂ）は底面図である。
【考案を実施するための形態】
【００１２】
図１は、本考案の一実施の形態による草履の外観図であり、（ａ）は側面図、（ｂ）は底面図である。図示の通り、この草履１０１は、使用者の足を載せる台１と、この台１に留められ、使用者の足の甲に当たって足を捕捉する鼻緒３と、を有している。台１は、使用者の足に触れる、比較的薄い上層部材である天５と、天５の下にあって比較的厚く、例えばコルクを芯とする中間層部材である巻７と、巻７の下にあって地面等に触れる下層部材である底９と、を含んでいる。天５及び巻７の外表面は、牛革あるいは合成皮革・織物により仕上げられている。
【００１３】
底９は、実質的に巻７の下面全体を覆うように、巻７の下面に接着剤により接着された底本体１１と、底本体１１の後部下面から下方に突起した踵１３と、を有している。底本体１１と踵１３とは、ともに合成ゴム製であり、かつ同一材料である。踵１３は、底本体１１の後部下面に、接着剤により接着されている。底本体１１には、外方に湾曲させて開くことが可能な舌状の蓋１５、１７を成すように、切れ込み１９、２１が、一部に形成されている。蓋１５，１７は、取り外し可能な留め具２３、２５により、通常は閉じた状態に保持される。蓋１５、１７は、鼻緒３のすげ替えを可能にするために設けられたものである。蓋１５、１７は、牛革を材料とする従来の底にも設けられているもので、その構造は周知であるので、詳細な説明を略する。底９は柔軟な合成ゴム製であるので、蓋１５、１７は容易に開閉することができる。
【００１４】
合成ゴムは、生ゴムと合成樹脂とが混合されてなる材料であり、生ゴムが持つ弾力性が活かされるとともに、合成樹脂の硬さ及び耐久性が加味されることにより、劣化し易い生ゴムの欠点を補う特性を有する。草履１０１は、底９の材料が合成ゴムであることから、路上等を歩行する使用者の足に、適度な弾力が伝わり、歩き心地が良いのに加えて、歩行にともなう摩耗が少なく、耐久性が改善される。
【００１５】
また、踵１３が底本体１１と一体ではなく、底本体１１とは別体であるため、減耗した踵１３を新品に交換することも可能である。使用者の重量を中心的に支え、底９のうちでは最も摩耗し易い部分である踵１３が交換可能であることから、高価な草履１０１を長期に使用し続けることが可能となる。また、踵１３は底本体１１に接着により固定されているので、数の少ない専門の草履店或いは呉服店を利用せずとも、比較的数の多い靴修理店を利用することにより、簡便に交換することが可能である。また、踵１３は釘止めされないので、釘の頭が摩滅するという問題も生じない。
【符号の説明】
【００１６】
１  台
３  鼻緒
５  天
７  巻
９  底
１１  底本体
１３  踵
１５、１７  蓋
１９、２１  切れ込み
２３、２５  留め具
１０１  草履
【図１】
0003198540.tif 000003
【手続補正書】
【提出日】平成27年5月20日(2015.5.20)
【手続補正２】
【補正対象書類名】明細書
【補正対象項目名】０００５
【補正方法】変更
【補正の内容】
【０００５】
本考案は上記の問題点に鑑みてなされたもので、踵を有する底の耐久性を改善し、かつ踵の新品交換を容易にする草履及び草履底を提供することを目的とする。
【手続補正３】
【補正対象書類名】明細書
【補正対象項目名】０００９
【補正方法】変更
【補正の内容】
【０００９】
この構成によれば、留め具を取り外し、蓋を開くことにより、鼻緒をすげ替えることができる。
本考案のうち第３の態様によるものは、草履底であって、実質的に草履の巻の下面全体を覆うように前記巻の下面に接着されるものであり、かつ合成ゴム製である底本体と、当該底本体の後部下面に接着され、前記底本体と同一の合成ゴム製である踵と、を有するものである。
本考案のうち第４の態様によるものは、第３の態様による草履底であって、前記底本体には、鼻緒のすげ替えのために外方に湾曲させて開くことが可能な舌状の蓋を成すように、切れ込みが一部に形成されており、当該蓋は、取り外し可能な留め具により閉じた状態に保持されるものである。
【手続補正４】
【補正対象書類名】明細書
【補正対象項目名】００１０
【補正方法】変更
【補正の内容】
【００１０】
以上のように本考案によれば、踵を有する底の耐久性を改善し、かつ踵の新品交換を容易にする草履及び草履底が実現する。
【手続補正５】
【補正対象書類名】実用新案登録請求の範囲
【補正対象項目名】全文
【補正方法】変更
【補正の内容】
【実用新案登録請求の範囲】
【請求項１】
底が、
実質的に巻の下面全体を覆うように前記巻の下面に接着され、かつ合成ゴム製である底本体と、
当該底本体の後部下面に接着され、前記底本体と同一の合成ゴム製である踵と、を有する草履。
【請求項２】
前記底本体には、鼻緒のすげ替えのために外方に湾曲させて開くことが可能な舌状の蓋を成すように、切れ込みが一部に形成されており、当該蓋は、取り外し可能な留め具により閉じた状態に保持される、請求項１に記載の草履。
【請求項３】
実質的に草履の巻の下面全体を覆うように前記巻の下面に接着されるものであり、かつ合成ゴム製である底本体と、
当該底本体の後部下面に接着され、前記底本体と同一の合成ゴム製である踵と、を有する草履底。
【請求項４】
前記底本体には、鼻緒のすげ替えのために外方に湾曲させて開くことが可能な舌状の蓋を成すように、切れ込みが一部に形成されており、当該蓋は、取り外し可能な留め具により閉じた状態に保持される、請求項３に記載の草履底。